(57)【要約】【課題】  放電灯の周囲温度が高温の場合に、インバータの温度上昇を抑えるように制御する。【解決手段】  ドライブ用ＩＣ２０の前記反転入力端子ＯＰＩＮ−と前記直流電源１の負極端子間にスイッチング素子６１を備え、前記放電灯３４の周囲温度を検知して前記スイッチング素子６１をオン／オフさせる温度検知回路６２を備える。  放電灯周囲温度が高温になった時に，前記スイッチング素子６１をオンし、電力制御を停止させ、放電灯周囲温度が室温以下になった時に、前記スイッチング素子６１をオフし、電力制御を行う。【選択図】    図１
2006164924.tif 000002
【特許請求の範囲】
【請求項１】
放電灯を備え、前記放電灯に高周波電力を供給するインバータを備え、前記インバータを制御する制御回路を備え、前記制御回路は管電圧の異なる前記放電灯が接続された場合であっても一定のランプ電力を供給する定電力制御手段を具備し、前記放電灯の周囲温度を検知する温度検知手段を具備し、前記周囲温度が所定値を超えたとき定電力制御手段を停止させ前記ランプ電力を制限する手段を具備することを特徴とする放電灯点灯装置。
【発明の詳細な説明】
【技術分野】
【０００１】  本発明は、数種類の放電灯を点灯することができる放電灯点灯装置に関するものである。特にその電力制御に関するものである。
【背景技術】
【０００２】  従来汎用の放電灯点灯装置を図２を用いて説明する。図２回路は、周波数可変形の高周波電圧を出力するインバータを備える。前記インバータは直流電源１を備え、順直列一対のスイッチング素子４１・４２を備え、前記スイッチング素子４１・４２をドライブするドライブ用ＩＣ２０を備え、前記スイッチング素子４１・４２の接続交点に接続されるコンデンサ３１、バラスト用インダクタ３２、共振用コンデンサ３３からなる直列共振回路を備え、前記共振用コンデンサ３３に並列接続される放電灯３４を備える。
前記ドライブ用ＩＣ２０は発振器２１を内蔵する。該発振器２１の出力周波数は、周波数設定コンデンサ接続端子ＣＦに接続される周波数設定コンデンサ５７と周波数設定抵抗接続端子ＲＩＮＧに接続される周波数設定抵抗５８で決定される。さらに前記ドライブ用ＩＣ２０はオペアンプ２２を内蔵する。該オペアンプ２２の反転入力端子ＯＰＩＮ−と出力端子ＯＰＯＵＴ間に接続されるコンデンサ５１を備え、前記周波数設定抵抗接続端子ＲＩＮＧと前記出力端子ＯＰＯＵＴ間に接続される直列接続されたダイオード５２と抵抗５３を備え、前記反転入力端子ＯＰＩＮ−と前記スイッチング素子４２のソース端子間に接続される抵抗５４を備え、前記スイッチング素子４２のソース端子と直流電源１の負極端子間に接続される電流検出用抵抗５５を備える。
前記ドライブ用ＩＣ２０は予熱時間設定端子ＣＰＲＥと予熱周波数設定端子ＲＰＲＥを備え、前記予熱時間設定端子ＣＰＲＥに接続される予熱時間設定コンデンサ５９を備え、前記予熱周波数設定端子ＲＰＲＥに接続されるランプ電流調整用半固定抵抗５６を備える。前記ランプ電流調整用半固定抵抗５６の中点端子は非反転入力端子ＯＰＩＮ＋に接続される。
図２回路の回路動作について説明する。直流電源１に流れる入力電流を電流検出用抵抗５５で検出し、電流検出用抵抗５５電圧が抵抗５４を介してオペアンプ２２の反転入力端子ＯＰＩＮ−に印加される。該反転入力端子ＯＰＩＮ−電圧がランプ電流調整用半固定抵抗５６で決定される非反転入力端子ＯＰＩＮ＋電圧より低い場合は、出力端子ＯＰＯＵＴには周波数設定抵抗端子ＲＩＮＧ電圧より高い電圧が発生するためダイオード５２、抵抗５３は遮断され、放電灯３４は周波数設定コンデンサ５７と周波数設定抵抗５８で決定される周波数で点灯する。該反転入力端子ＯＰＩＮ−電圧がランプ電流調整用半固定抵抗５６で決定される非反転入力端子ＯＰＩＮ＋電圧より高い場合は、出力端子ＯＰＯＵＴに電圧は発生しない。この場合、周波数設定抵抗接続端子ＲＩＮＧには周波数設定抵抗５８と並列に抵抗５３が接続される。この時、放電灯３４は非反転入力端子ＯＰＩＮ＋電圧と反転入力端子ＯＰＩＮ−電圧が等しくなるようなランプ電流が流れるように制御され、負荷に関わらず負荷電力が一定となるように制御される。
一般に放電灯３４、例えば蛍光ランプは高温や低温では室温よりランプ電圧が下がる特性がある。放電灯３４の周囲温度が高温になると、ランプ電流が増え、インバータの損失が多くなり、温度が高くなることが懸念される。
【発明の開示】
【発明が解決しようとする課題】
【０００３】  本発明の目的は、放電灯の周囲温度が高温の場合においても、インバータの温度上昇を抑えるように制御することにある。
【課題を解決するための手段】
【０００４】  前記ドライブ用ＩＣ２０の前記反転入力端子ＯＰＩＮ−と前記直流電源１の負極端子間にスイッチング素子６１を備え、前記放電灯３４の周囲温度を検知して前記スイッチング素子６１をオン／オフさせる温度検知回路６２を備える。
この回路において、放電灯周囲温度が高温になった時に、前記スイッチング素子６１をオンし、電力制御を停止させ、放電灯周囲温度が室温以下になった時に、前記スイッチング素子６１をオフし、電力制御を行う。
【発明の効果】
【０００５】  本発明によれば、放電灯の周囲温度が高温の状態では電力制御を止め、インバータの温度の上昇を抑えることができ、放電灯の周囲温度が低温の状態では電力制御をすることで、電力低下を防ぎ、明るさの低下を抑えることができる。
【発明を実施するための最良の形態】
【０００６】  図１を用いて本発明の実施形態について説明する。前記従来と同一部分については説明を省略する。図１は従来の回路図２に対してドライブ用ＩＣ２０の反転入力端子ＯＰＩＮ−と直流電源１の負極端子間にスイッチング素子６１を備え、放電灯３４の周囲温度を検知して前記スイッチング素子６１をオン／オフさせる温度検知回路６２を備える回路である。
前記温度検知回路６２は放電灯周囲温度が高温になると、前記スイッチング素子６１をオンさせる。前記スイッチング素子６１がオンすることにより、前記ドライブ用ＩＣ２０の反転入力端子ＯＰＩＮ−電圧は非反転入力端子ＯＰＩＮ＋電圧より低くなり、出力端子ＯＰＯＵＴは周波数設定抵抗端子ＲＩＮＧ電圧より高い電圧が発生するためダイオード５２、抵抗５３は遮断され、放電灯３４は周波数設定コンデンサ５７と周波数設定抵抗５８で決定される周波数、すなわち電力制御をしていない高い周波数で点灯する。かくして、前記周囲温度が所定値を超えたとき定電力制御手段を停止させ前記ランプ電力を制限する。
このように、ランプの周囲温度が上昇すると、インバータは一定の高い周波数（電流）で発振するため、温度上昇を抑えることができる。
放電灯周囲温度が低温の場合には、前記スイッチング素子６１をオフするように前記温度検知回路６２が働き、従来の技術と同様に電力制御を行い、ランプ電流（明るさ）を低下させることなく放電灯を点灯させることができる。
【図面の簡単な説明】
【０００７】
【図１】本発明に係る放電灯点灯装置の回路図である。
【図２】従来の放電灯点灯装置の回路図である。
【符号の説明】
１：直流電源
２０：ドライブ用ＩＣ
３１：コンデンサ
３２：バラスト用インダクタ
３３：共振用コンデンサ
３４：放電灯
４１・４２：スイッチング素子
４２：リセット手段
５６：ランプ電流調整用半固定抵抗
６１：制御用スイッチング素子
６２：ランプ周囲温度検出回路
【図１】
2006164924.tif 000003
【図２】
2006164924.tif 000004